(57)【要約】      （修正有）【課題】強い力を加えることなく片手でスムーズにリフィルを本体容器から着脱可能でありながら、リフィル容器を容器本体に装着した際はしっかり固定され、強度や体裁に優れた着脱式容器を提供する。【解決手段】適宜の内容物を収容した上方に開口した円筒状のリフィル容器１を上方に開口した円筒状の容器本体の内側に装着する。リフィル容器１の外周面にロック用凸部１ａとスライド用凸部１ｂが設けられており、スライド用凸部１ｂの頂部がロック用凸部１ａの頂部よりも開口側に位置し、ロック用凸部１ａが容器本体の内周面の全周に亘って設けられた凹部２ａに係合する。ロック用凸部１ａが凹部２ａから外れるようにリフィル容器１を弾性変形させると、スライド用凸部１ｂが容器本体の開口側に向かって広がるように設けられた傾斜部２ｂに押し当たって開口側にスライドするようになっている。【選択図】図７
0003169644.tif 000002
【実用新案登録請求の範囲】
【請求項１】
適宜の内容物を収容したリフィル容器（１）を上方に開口した円筒状の容器本体（２）の内側に装着するようにした着脱式容器であって、リフィル容器（１）の外周面にロック用凸部（１ａ）とスライド用凸部（１ｂ）が設けられており、スライド用凸部（１ｂ）の頂部がロック用凸部（１ａ）の頂部よりも開口側に位置し、前記ロック用凸部（１ａ）が容器本体（２）の内周面の全周に亘って設けられた凹部（２ａ）に係合するようになっており、前記ロック用凸部（１ａ）が前記凹部（２ａ）から外れるようにリフィル容器（１）を弾性変形させると、スライド用凸部（１ｂ）が容器本体の開口側に向かって広がるように設けられた傾斜部（２ｂ）に押し当たって開口側にスライドするようにした着脱式容器。
【請求項２】
前記リフィルの開口部側の上縁に凹状の肉盗み（１ｄ）を設け、リフィル容器（１）を弾性変形しやすくし、前記ロック用凸部（１ａ）付近にリブ（１ｅ）を設けている請求項１記載の着脱式容器。
【請求項３】
容器本体（２）の内周面の上縁に全周に亘って設けられている傾斜部（２ｂ）にローレット（２ｃ）を設けた請求項１又は請求項２記載の着脱式容器。
【考案の詳細な説明】
【技術分野】
【０００１】
この考案は、適宜の内容物を収容したリフィル容器を容器本体に収容するようにした着脱式容器に関するものである。
【背景技術】
【０００２】
リフィル容器を容器本体に収容するようにした着脱式容器としては、特許文献１記載の化粧用容器や、特許文献２の着脱式容器がある。
【０００３】
特許文献１記載の化粧品容器は強度や見栄え等の問題があったので、特許文献２の着脱容易にするための欠損部等がなく、強度や見栄え等の点で優れた着脱式容器を開発した。しかし、当該考案の着脱方法は容易には取り出せるものの、着脱時に意図的にある程度の強い力を加えなければならず、両手を使って着脱する必要があった。内容物が入ったまま着脱する場合は、着脱時の振動で内容物がリフィル容器から飛び出てしまう場合があった。また、リフィル容器の内周面に指を押し当てて、容器本体に向かって押し上げることによっても着脱可能であるが、内容物が入ったままでは滑ってうまく取り出すことができないという問題があった。
【先行技術文献】
【特許文献】
【０００４】
【特許文献１】特開平１０−１９２０４３号公報
【特許文献２】特願２０１０−１２２３８６の明細書及び図面
【考案の概要】
【考案が解決しようとする課題】
【０００５】
そこで、この考案は強い力を加えることなく、片手でスムーズにリフィル容器を容器本体２から着脱可能でありながら、リフィル容器を容器本体に装着した際はしっかり固定され、強度や体裁に優れた着脱式容器を提供することを課題とする。
【課題を解決するための手段】
【０００６】
前記課題を解決するために、この考案は次のような技術的手段を講じている。
【０００７】
適宜の内容物を収容した上方に開口した円筒状のリフィル容器１を上方に開口した円筒状の容器本体２の内側に装着するようにした着脱式容器であって、リフィル容器１の外周面にロック用凸部１ａとスライド用凸部１ｂが設けられており、スライド用凸部１ｂの頂部がロック用凸部１ａの頂部よりも開口側に位置し、前記ロック用凸部１ａが容器本体２の内周面の全周に亘って設けられた凹部２ａに係合するようになっており、前記ロック用凸部１ａが前記凹部２ａから外れるようにリフィル容器１を弾性変形させると、スライド用凸部１ｂが容器本体２の開口側に向かって広がるように設けられた傾斜部２ｂに押し当たって開口側にスライドするようになっている。
【０００８】
また、前記リフィル容器１の開口部側の上縁に凹状の肉盗み１ｄを設け、リフィル容器１を弾性変形しやすくし、前記ロック用凸部１ａ付近にリブ１ｅを設けることができる。
【０００９】
さらに、円筒状の前記リフィル容器１の内周面の上縁に全周に亘って設けられている傾斜部２ｂにローレット２ｃを設けることができる。
【考案の効果】
【００１０】
この考案の着脱式容器は上述のような構成をしており、リフィル容器１の外周面にロック用凸部１ａとスライド用凸部１ｂが設けられており、前記ロック用凸部１ａが容器本体２の内周面の全周に亘って設けられた凹部２ａに係合するようになっているため、前記ロック用凸部１ａが前記凹部２ａから外れるようにリフィル容器１を弾性変形させると、スライド用凸部１ｂが容器本体の開口側に向かって広がるように設けられた傾斜部２ｂに押し当たって開口側にスライドすることにより、片手で、かつ、スムーズに着脱可能となる。また、スライド用凸部１ｂの頂部がロック用凸部１ａの頂部よりも開口側に位置していることにより、スライド用凸部１ｂの頂部が凹部２ａに嵌らず、さらにスムーズに外れる。また、容器本体２が円筒状で、容器本体２の内周面の全周に亘って凹部１ｂが設けられていることにより、ロック用凸部１ａの位置を気にすることなく着脱が可能である
【図面の簡単な説明】
【００１１】
【図１】着脱式容器の一部分解斜視図である。
【図２】リフィル容器１の正面図である。
【図３】リフィル容器１の右側面図である。
【図４】容器本体２の斜視図である。
【図５】リフィル容器１を容器本体２に装着時の横断面図（図７のＣ−Ｃ断面図）である。
【図６】リフィル容器１を容器本体２に装着時の横断面図（図５のα部の拡大図）である。
【図７】リフィル容器１を容器本体２に装着時の縦断面図（図５のＡ−Ａ断面図とβ部の拡大図）である。
【図８】リフィル容器１を容器本体２に装着時の縦断面図（図５のＢ−Ｂ断面図とγ部の拡大図）である。
【図９】リフィル容器１を容器本体２から取り出す状態のロック用凸部１ａ付近の要部拡大断面図である。
【図１０】リフィル容器１を容器本体２から取り出す状態のスライド用凸部１ｂ付近の要部拡大断面図である。
【図１１】図９の状態の平面図である。
【図１２】図１０の状態の平面図である。
【考案を実施するための形態】
【００１２】
以下、この考案の好適な実施形態を、図示して説明する。
【００１３】
この実施形態の着脱式容器は、図１に示すように適宜の内容物を収容したリフィル容器１を容器本体２の内側に装着するようにした着脱式容器であって、図２、図３に示すように、リフィル容器１の外周面にロック用凸部１ａとスライド用凸部１ｂが設けられており、図５、図６、図７に示すように前記ロック用凸部１ａが容器本体２の内周面に設けられた凹部２ａに係合するようになっており、図９、図１０、図１１、図１２に示すように、前記ロック用凸部１ａが前記凹部２ａから外れるようにリフィル容器１を弾性変形させると、スライド凸部が容器本体２の開口側に向けて広がるように設けられた傾斜部２ｂに押し当たって開口側にスライドすることで、片手で容易かつスムーズにリフィル容器１が容器本体２から取り出すことが可能である。
【００１４】
この着脱式容器を構成するリフィル容器１や容器本体２の各部材は、ポリプロピレン等の適宜の合成樹脂を成形して製造することができる。
【００１５】
リフィル容器１と容器本体２は図５、図６、図７に示すようにロック用凸部１ａが凹部２ａに係合することによりリフィル容器１が容器本体２から外れないようになっている。
【００１６】
図５に示すようにロック用凸部１ａは対向するように２箇所設けることができ、スライド用凸部１ｂも対向するように２箇所設けることができる。ロック用凸部１ａとスライド用凸部１ｂの位置関係は図５に示すように、両者の各中心部分を繋ぐ線（Ａ−Ａ線、Ｂ−Ｂ線）が直交するような位置関係にすることができる。
【００１７】
そのような位置関係にすることで、対向したロック用凸部１ａ付近をリフィル容器１の中心方向に力を加えるようにつまんだり、一方のロック用凸部１ａ付近を中心方向に向けて力を加えることにより、リフィル容器１が撓み、スライド用凸部１ｂ付近の部分が変形して容器本体２を押すような方向に力が加わることとなる。
【００１８】
図９（ａ）図１１（ａ）に示すようにロック用凸部１ａと凹部２ａが係合しているとき、リフィル容器１のロック用凸部１ａ付近をリフィル容器１の中心に向けて力を加えることにより、図９（ｂ）図１１（ｂ）に示すように係合が外れ、リフィル容器１が上昇し容器本体２から外れる。
【００１９】
ロック用凸部１ａと凹部２ａが係合しているときは図８、図１０（ａ）、図１２（ａ）に示すように、スライド用凸部１ｂは容器本体２の傾斜部２ｂに接触している。ロック用凸部１ａと凹部２ａの係合が外れることにより、スライド用凸部１ｂが容器本体２を押すような方向に力が加わる。よって、傾斜部２ｂが容器本体２の開口側に広がるように設けられているため、スライド用凸部１ｂが傾斜面に沿って開口側に移動する。図１０（ｂ）、図１２（ｂ）に示すように、傾斜部２ｂに押し当たるように開口側にスライドし、リフィル容器１がスムーズに上昇して容器本体２から外れる。
【００２０】
なお、スライド用凸部１ｂは弾性変形することにより接触していない状態から傾斜部２ｂに接触し、押し当たってスライドするようにすることもできる（図示せず）。
【００２１】
リフィル容器１が撓んだ時にリフィル容器１の中心側に向けて力が加わる部分にロック用凸部１ａが設けられ、少なくとも容器本体２方向に向けて力が加わる部分にスライド用凸部１ｂが設けられている。
【００２２】
図２にあらわした側を正面側、図３にあらわした側を右側面側としたが、これらの方向は説明の便宜上のものである。
【００２３】
〔リフィル容器１〕
図２、図３に示すように、リフィル容器１は上方に開口した有底円筒状で底側から開口側に向かって徐々に広がるような形状であり、開口縁には内蓋３ｂを嵌合させられるようにしている。このリフィル容器１は、例えばクリームやゲル、ペースト状、液体等の化粧品、食品等を収容し、内容物を使い切った後の取り替え用として容器本体２とは別個に販売することができる。また、このリフィル容器１にクリーム状等の化粧品を入れたまま、他の容器本体２に取り付けることもできる。
【００２４】
図２、図３に示すように、リフィル容器１の外周面にはロック用凸部１ａが設けられている。ロック用凸部１ａは、容器本体２の内周面に設けられた凹部２ａに係合できればリフィル容器１の外周面のどの部分にも設けることができる。しかし、本考案は、容器本体２に収容したリフィル容器１を弾性変形させることにより凹部２ａと係合しているロック用凸部１ａを外す構造である。そのため、図９に示すように容器本体２の開口部よりリフィル容器１が出た部分を押すことによってリフィル容器１を弾性変形させる。よって、片手で簡単にリフィル容器１を弾性変形させるためにはリフィル容器１の外周面の開口部付近にロック用凸部１ａを設けることが望ましい。
【００２５】
ロック用凸部１ａの形状はロック用凸部１ａと凹部２ａが係合しているときに、リフィル容器１に適宜の内容物を収容した際、リフィル容器１と容器本体２がしっかり取り付けられており、凹部２ａからロック用凸部１ａの係合を外す際容易に外すことができ、かつ、着脱容易になる寸法、形状にすることができる。
【００２６】
リフィル容器１と容器本体２をよりしっかりと係合させたい場合は、例えば、ロック用凸部１ａの頂部までの長さ（図７β部拡大断面図のｈ１）を長くし、凹部２ａの凹み部分（図７β部拡大断面図のｈ２）を深くするとよい。また、ロック用凸部１ａの周方向の長さを長くすることでも、よりしっかりと係合させることができる。逆に、リフィル容器１と容器本体２がより外れやすいように係合させたい場合は、ロック用凸部１ａの頂部までの長さ（図７β部拡大断面図のｈ１）を短くし、凹部２ａの凹み部分（図７β部拡大断面図のｈ２）を浅くするとよい。また、ロック用凸部１ａの周方向の長さを短くすることによってより外れやすく係合することもできる。さらに、接触箇所の角度を変化させることで、よりしっかりと係合させたり、より外れやすく係合させることができる。
【００２７】
リフィル容器１の外周面には、開口縁と平行にスライド用凸部１ｂが設けられている。上記ロック用凸部１ａの場合と同様に、開口部付近に設けられていることが望ましい。
【００２８】
また、ロック用凸部１ａの頂部よりもスライド用凸部１ｂの頂部の方が開口側に位置するように設けられ、スライド用凸部１ｂが凹部２ａに嵌らずスムーズに外れるようにしている。
【００２９】
図５に示すように、ロック用凸部１ａはリフィル容器１の中心（Ａ−Ａ線とＢ−Ｂ線が交わる点）から４５度に広がる長さ、スライド用凸部１ｂはリフィル容器１の中心から９０度に広がる長さにした場合、リフィル容器１に内容物を入れたときに、リフィル容器１部分を持っても容器本体２が外れたりせず、片手で容易に着脱可能であった。しかし、この上記長さに限定されるわけではなく、ロック用凸部１ａのリフィル容器１の中心から広がる長さを長くすれば係合はより外れなくなり、短くすると、より係合は外れやすくなる。本考案の着脱式容器は用途によって適宜に係合状態を変えることができる。また、スライド用凸部１ｂは短いよりは適度に長い方が斜面を、より、滑りやすくなり、スムーズに着脱可能となる。
【００３０】
スライド用凸部１ｂは傾斜部２ｂを、より、滑りやすいように緩やかな山状とすることができる。
【００３１】
ロック用凸部１ａは、より着脱しやすいようにスライド用凸部１ｂよりは短く、スライド用凸部１ｂは、傾斜部２ｂをより滑りやすくするようにロック用凸部１ａよりも長くする方が好ましい。
【００３２】
また、リフィル容器１の上縁部分が弾性変形し、撓み易くするために、リフィル容器１の上縁部に凹部状の、いわゆる肉盗み１ｄを設けることで、リフィル容器１を、より、容易に撓ませることができ、かつ、軽量化になる。さらに、肉盗み１ｄを設けることで撓ます際に指や爪を引掛けやすくすることもできる。
【００３３】
図２、図３に示すようにスライド用凸部１ｂの上縁付近に肉盗み１ｄを設け、ロック用凸部１ａの上縁付近に肉盗み１ｄを設けない部分を設ければ、肉盗み１ｄのない付近を押したり、つかんだりすることで、ロック用凸部１ａはリフィル容器１の中心側に撓み、スライド用凸部１ｂは容器本体２側に撓み易くなる。
【００３４】
また、ロック用凸部１ａの上縁付近の肉盗み１ｄを設けていない部分は、押したり、つ
まんだりする部分であることを示すリブ１ｅを設ける事も可能である。当該部分に成形や印刷によって目印を付すことができる。
【００３５】
また、リフィル容器１の部材を撓み易い材料を使用することや、肉盗み１ｄとは異なる方法でリフィル容器１の厚さを薄くする等の方法で弾性変形しやすくさせることができる。
〔容器本体２〕
図４に示すように、容器本体２は上方に開口した有底円筒状であり、開口縁に外蓋３ａを螺合により取り付けられるようにしている。容器本体２は図７、図８に示すように、内側部分２ｄと外側部分２ｅからなるものとすることができる。
【００３６】
容器本体２の内周面には、リフィル容器１のロック用凸部１ａが係合する凹部２ａが設けられている。この凹部２ａは開口縁と平行に設けられており、ロック用凸部１ａと係合し、リフィル容器１と容器本体２が取り付けることができるようになっている。凹部２ａは開口縁のやや下に位置し、容器本体２に周状に設けられている。
【００３７】
凹部２ａは断面円弧状のくぼみを有し、ロック用凸部１ａの山状の開口側の傾斜部２ｂ分と接触することで係合することができる。また、凹部２ａとロック用凸部１ａが嵌合することにより係合することもできる。
【００３８】
どのような係合状態であっても、ロック用凸部１ａを凹部２ａから外れるようにリフィル容器１を弾性変形したときに、容易に外れるようなロック用凸部１ａ、凹部２ａの寸法、形状とからなる。
【００３９】
また、傾斜部２ｂは、図７、図８に示すように凹部２ａの開口側に続くように設けることができる。傾斜部２ｂとスライド用凸部１ｂは開口部にスライドしやすい寸法、形状とすることが好ましい。
【００４０】
図４、図５に示すように、容器本体２の内周面には、ローレット２ｃが設けられている。図９（ａ）に示すように、ローレット２ｃはリフィル容器１の突起部１ｃが入り込んで、リフィル容器１が回り止めされるようになっている。ローレット２ｃは全周にわたって形成されていることが好ましい。
【００４１】
ローレット２ｃは図７、図８、図９、図１０に示すように容器本体２の傾斜部２ｂの一部に設けることができる。そうすることで、ローレット２ｃによりリフィル容器１が回り止めされつつ、傾斜部２ｂも有することとなる。
【００４２】
〔使用方法〕
次に、この着脱式容器の使用方法について説明する。
【００４３】
リフィル容器１を容器本体２に装着する場合は、リフィル容器１を容器本体２の開口部の上方から押し込めばよい。リフィル容器１のロック用凸部１ａと容器本体２の凹部２ａとが係合することにより、意図的に力を加えなければ外れない状態となるとともに、リフィル容器１の突起部１ｃとローレット２ｃが係合して、リフィル容器１が回り止めされる。
【００４４】
リフィル容器１を容器本体２から取り外す場合は、リフィル容器１の２箇所のリブ１ｅをリフィル容器１の中心部分に向けてつかむことで、ロック用凸部１ａと凹部２ａの係合が外れ、スライド用凸部１ｂが傾斜部２ｂと斜面部に押し当たりながら開口側にスライドすることで、リフィル容器１が上昇し容器本体２から外れる。
【００４５】
また、リフィル容器１の２箇所のリブ１ｅのうちどちらかのリブ１ｅを、リフィル容器１の中心部分に向けて押して、係合を外すことによっても同様にリフィル容器１を容器本体２から外すことができる。
【００４６】
上記のように、本考案はリフィル容器１に内容物が入っていても、片手で簡単にリフィル容器１を容器本体２からスムーズに着脱化することが可能である。
【００４７】
容器本体２を円筒状の形状にし、内周面に円周状に凹部２ａが設けられているので、リフィル容器１をどこからでも容易に入れることができ、便利である。また、その際ローレット２ｃも容器本体２の内周面の全周に亘って設けられている。
【００４８】
以上がこの考案の好適な実施形態であるが、この考案は上述の実施形態の構成に限定されるものではなく、形状、寸法、材質等を適宜変更して実施することが可能である。
【符号の説明】
【００４９】
１    リフィル容器
１ａ  ロック用凸部
１ｂ  スライド用凸部
１ｄ  肉盗み
１ｅ  リブ
２    容器本体
２ａ  凹部
２ｂ  傾斜部
２ｃ  ローレット
【図１】
0003169644.tif 000003
【図２】
0003169644.tif 000004
【図３】
0003169644.tif 000005
【図４】
0003169644.tif 000006
【図５】
0003169644.tif 000007
【図６】
0003169644.tif 000008
【図７】
0003169644.tif 000009
【図８】
0003169644.tif 000010
【図９】
0003169644.tif 000011
【図１０】
0003169644.tif 000012
【図１１】
0003169644.tif 000013
【図１２】
0003169644.tif 000014